(57)【要約】【課題】かばんやバッグ等に入れて携帯できるようにすると共に、背中などの手の届かない身体の曲面に沿って掻いたり、塗り薬や、ねり薬を塗ったりするのに好適な孫の手を提供する。【解決手段】先端を曲げて掻き部１Ａを形成したアーム１の後端部と、先端に塗り薬具を着脱可能に取付けるための取付部材２Ａを設けたアーム２の後端部とが、軸ボルト３で折畳み可能に枢軸され、アーム１，２を開いて最大限伸ばした状態がくの字状の形状であることを特徴とする塗り薬具着脱可能な折畳み式孫の手である。【選択図】図１
0003136237.tif 000002
【実用新案登録請求の範囲】
【請求項１】
先端を曲げて掻き部を形成したアームの後端部と、先端に塗り薬具を着脱可能に取付けるための取付部材を設けたアームの後端部とが、軸ボルトで折畳み可能に枢軸されて構成され、アームを開いて最大限伸ばした状態が、くの字状の形状にしてなることを特徴とする塗り薬具着脱可能な折畳み式孫の手。
【請求項２】
先端を曲げて掻き部を形成したアームの後端部と、先端に塗り薬具を着脱可能に取付けるための取付部材を設けたアームの後端部とが、緩慢なテーパーの凹凸面で組み合わされ、該組合せ面がバネ圧により加圧されて枢軸されてなることを特徴とする請求項１記載の塗り薬具着脱可能な折畳み式孫の手。
【請求項３】
塗り薬具を着脱可能に取付けるための取付部材が、塗り薬具の首部を螺子螺合させると共に、塗り薬具のボディ部をバンドで保持可能に形成してなることを特徴とする請求項１又は請求項２記載の塗り薬具着脱可能な折畳み式孫の手。
【請求項４】
塗り薬具を着脱可能に取付けるための取付部材を設けたアームに、塗り薬具のボディ部を保持するためのバンドが着脱可能に付設されると共に、取付部材の近辺に、塗り薬具のボディ面を当てるための凹面が形成されてなることを特徴とする請求項１〜請求項３のいずれか１項記載の塗り薬具着脱可能な折畳み式孫の手。
【請求項５】
先端を曲げて掻き部を形成したアームと、先端に塗り薬具を着脱可能に取付けるための取付部材を設けたアームが、竹材を含む複合材料で形成されてなることを特徴とする請求項１〜請求項４のいずれか１項記載の塗り薬具着脱可能な折畳み式孫の手。
【考案の詳細な説明】
【技術分野】
【０００１】
本考案は、身体の手の届かない患部に塗り薬や、ねり薬を塗ることのできる塗り薬具着脱可能な折畳み式孫の手に関するものである。
【背景技術】
【０００２】
孫の手は、背中など身体の手の届かない部位を１人で掻くのに便利であるが、従来の孫の手は、長手帯板状の先端を曲げて指に似せた形の掻き部に形成されたものが一般的であり、かばんやバッグ等に入れて携帯するには不便であることから、孫の手の中央部分を蝶番で連結することにより、折り畳みが可能で、且つ携帯性を持たせた折り畳み式孫の手が開示されている。（特許文献１参照）
【０００３】
又、近年、薬液の入った容器の頭部に塗布面を有する塗り薬が普及するにつれ、背中など身体の手の届かない部位を孫の手で掻くだけでなく、身体の手の届かない患部に塗り薬を１人で塗ることもできる塗り薬塗布補助具（特許文献２参照）や、薬の塗布と肩叩きを兼用する背中かき兼用肩叩き器具（特許文献３参照）も開示されている。
【０００４】
【特許文献１】特開平１０−３１４２４９号公報
【特許文献２】特開平９−２２５０３８号公報
【特許文献３】実用新案登録第３０１２６０１号公報
【考案の開示】
【考案が解決しようとする課題】
【０００５】
上記特許文献１に記載される折り畳み式孫の手は、従来より使用されているストレートな長手アームの部分から折り畳めるようにして携帯性を持たせたものであり、塗り薬具等を取付けて背中など身体の手の届かない患部に塗り薬を塗るのには適用し難く、且つ開いて伸ばした（開いた）状態で真直ぐに直線的に動かして掻くから、背中などの曲面に沿って掻くのに手が疲れたり、腕が上がらないなどの身体に障害がある人や高齢者にとっては使用が困難になる場合があり、好ましくない。
【０００６】
又、上記特許文献２に記載される塗り薬布補助具や、特許文献３に記載される背中かき兼用肩叩き器具は、背中など身体の手の届かない部位や患部を掻いたり、塗り薬を塗ったりすることはできるが、ストレートな長手アームのままで携帯性はなく、且つ真直ぐに直線的に動かして背中などの手の届かない部位や患部の曲面に沿って掻いたり、薬を塗ったりするのに手が疲れるなど、好ましくない。
従って、本考案は、かばんやバッグ等に入れて携帯できるようにすると共に、高齢化により、腕が上がらないなどの身体機能の低下に対応した塗り薬具着脱可能な折畳み式孫の手を提供することを目的とし、該目的を達成することを課題とする。
【課題を解決するための手段】
【０００７】
上記目的を達成するために、本考案は以下に記載するような手段を講じてなる塗り薬具着脱可能な折畳み式孫の手とするものである。すなわち、
（１）先端を曲げて掻き部を形成したアームの後端部と、先端に塗り薬具を着脱可能に取付けるための取付部材を設けたアームの後端部とが軸ボルトで折畳み可能に枢軸されて構成され、アームを開いて最大限伸ばした状態が、くの字状を呈してなることを特徴とする塗り薬具着脱可能な折畳み式孫の手。
（２）先端を曲げて掻き部を形成したアームの後端部と、先端に塗り薬具を着脱可能に取付けるための取付部材を設けたアームの後端部とが、緩慢なテーパー凹凸面で組み合わされ、該組合せ面が、バネ圧により加圧されて枢軸されてなることを特徴とする前項（１）記載の塗り薬具着脱可能な折畳み式孫の手。
（３）塗り薬具を着脱可能に取付けるための取付部材が、塗り薬具の首部を螺子螺合させると共に、塗り薬具のボディ部をバンドで保持可能に形成してなることを特徴とする前項（１）又は（２）記載の塗り薬具着脱可能な折畳み式孫の手。
（４）塗り薬具を着脱可能に取付けるための取付部材を設けたアームに、塗り薬具のボディ部を保持するためのバンドが着脱可能に付設されると共に、取付部材の近辺に塗り薬具のボディ面を当てるための凹面が形成されてなることを特徴とする前項（１）〜（３）のいずれか１項記載の塗り薬具着脱可能な折畳み式孫の手。
（５）先端を曲げて掻き部を形成したアームと、先端に塗り薬具を着脱可能に取付けるための取付部材を設けたアームが、竹材を含む複合材料で形成されてなることを特徴とする前項（１）〜（４）のいずれか１項記載の塗り薬具着脱可能な折畳み式孫の手。
【考案の効果】
【０００８】
上記手段を講じてなる本考案によれば、以下に記載する効果を奏する。すなわち、
１．先端を曲げて掻き部を形成したアームの別端部と、先端に塗り薬具を着脱可能に取付けるための取付部材を設けたアームの別端部とが、軸ボルトで折畳み可能に枢軸されて構成されることにより、掻き部を形成したアームで身体の手の届かない部位を掻くことができると共に、塗り薬具を取付けたアームで身体の手の届かない患部に塗り薬、ねり薬を塗ることができ、然も半分程度の長さに折畳んでかばんやバッグ等に入れて携帯できる。
２．アームを開いて最大限伸ばした状態がくの字状の形状であるから、直線的に動かす必要がなく、背中など手の届かない身体の曲面に沿って掻いたり、塗り薬を塗ったりするのに好適であり、手の疲れが少なく楽に行え、特に腕が上がらないなどの身体に障害がある人や高齢者にとっては好ましい。
３．軸ボルトで枢軸された二つのアームの別端部が、緩慢なテーパーの凹凸穴面で組み合わされ、該組合せ面がバネ圧により加圧されることにより、枢軸の同心度が保持されると共に、緩むことなく適度な開閉硬さで折畳みができる。
４．塗り薬具のボディ部を保持するためのバンドを着脱可能にして付設し、取付部材の近辺に塗り薬具のボディ面を当てるための凹面を形成することにより、首部がボディに対して略直角方向に向いている塗り薬具の場合、より安定した状態で取付けることができる。
５．アームが、竹材を含む複合材料で形成されることにより、従来の竹材による孫の手の長所が生かせると共に、複雑な加工に適した材料で製作することができる。
【考案を実施するための最良の形態】
【０００９】
本考案を実施するための最良の形態を、以下実施例を示す図面に基づいて詳細に説明する。なお、本実施例にて示す図面は、本考案を実施するための最良の形態を示す図面であるが、これに限定されるものではない。
【実施例１】
【００１０】
図１は、本考案の実施例を示す斜視図である。図示するように本考案は、先端を曲げて掻き部１Ａを形成したアーム１の後端部と、先端に塗り薬具を着脱可能に取付けるための取付部材２Ａを設けたアーム２の後端部とが、軸ボルト３で折畳み可能に枢軸されて構成され、アーム１，２を開いて最大限伸ばした状態が、アーム１，２の後端ストッパー部１ａ，２ａが当接して、くの字状の形状になるようにしてあり、折畳むと図２に示すようになる。
【００１１】
前記アーム１，２は、図３に示すように後端部の支持ボス部１ｂ，２ｂを上下に組合せ、軸受穴１ｃ，２ｃに軸ボルト３を挿通させて枢軸されるようにしてあり、支持ボス部１ｂ，２ｂが摩耗しやすい材質の場合、平座金等を当てて面一にするための段差１ｄ，２ｄを設け、組合せ面１ｅ，２ｅは緩慢はテーパーの凹凸面に形成する。又、バネ部材や軸ボルトの頭部が出張らないように座ぐり穴２ｆを設けてある。
【００１２】
図４は、上記のようにしたアーム１，２の後端部を軸ボルト３で枢軸した要部断面図である。アーム１の後端部の支持ボス部１ｂとアーム２の支持ボス部２ｂは、支持ボス部１ｂの組合せ面１ｅと支持ボス部２ｂの組合せ面２ｅが緩慢なテーパーＴの凹凸面で当接して組み合わされており、段差１ｄ，２ｄが面一になるように平座金４，４を当てて軸ボルト３を軸受穴１ｃ，２ｃに挿通させ、バネ部材５を介在させて手回しナット（蝶ナット）６を締め付けてある。平座金４，４は、前記座ぐり穴２ｆに嵌入するように凹み穴４ａ，４ａが設けられていて、該凹み穴に軸ボルト３の頭部３ａとバネ部材５が出張らないように挿入されている。なお、バネ部材５は市販のバネ座金（スプリングワッシャ）を使用しても良い。
【００１３】
アーム２の先端に設けた取付部材２Ａは、塗り薬具の首部をねじ込んで着脱可能に取付けるための螺子穴２Ｂを設けてある。塗り薬具は、ボディの上端部に首部と塗布部があり、ボディは塗り薬を収容した容器で、首部に螺子が加工されて塗布部にキャップを被せるようにしたものが一般的に使用されている。又、前記首部と塗布部は、ボディに対して直角方向に向いているものと、ボディと同一方向に向いているものがある。
【００１４】
図５は、上記塗り薬具の形態を考慮したアーム２の一実施形態を示すものである。取付部材２Ａに螺子穴２Ｂが設けられ、該取付部材の近辺に塗り薬具のボディ面を当てるための凹面２Ｃとバンド７を着脱可能に付設するための引掛け穴２Ｄ，・・・がアーム２に設けられている。バンド７は例えばゴム紐のように伸縮自在な弾力性を有するものが好適であり、両端部に引掛金具７ａ，７ａを設ける。
【００１５】
図６は、上記のようにして、塗り薬具８を着脱可能に取付けた取付例であり、（ａ）は側面図、（ｂ）は（ａ）のＡ−Ａ断面図である。塗り薬具８は、ボディに対して直角方向に首部８ａと塗布部８ｂが向いた状態のものであり、首部８ａが取付部材２Ａの螺子穴２Ｂにねじ込んで取付けられると共に、ボディ面をアーム２の先端部（取付部材２Ａの近辺）に設けられた凹面６Ｃに当接させた状態でバンド７の両端部に設けられた引掛金具７ａ，７ａを取付部材２Ａの引掛部に引掛けることにより塗り薬具８のボディ部がしっかりと保持される。
【００１６】
図７は、ボディと同一方向に首部７ａと塗布部８ｂが向いた塗り薬具８Ａの形態のものを取付けた取付例である。ボディにバンドを掛けて保持されないが、塗り薬具８Ａの首部８ａを取付部材２Ａの螺子穴２Ｂに緩まないようにしっかりとねじ込んで使用できる。
【００１７】
図８は、ねり薬等を塗布部８ｂに手塗りするなどしてアーム２の取付部材２Ａに着脱可能に取付ける付属具の側面である。チューブ等に収容されたねり薬は、該付属具の塗布部８ｂに手塗りして使用する。
【００１８】
図９は、先端を曲げて掻き部１Ａを形成したアーム１と、先端に塗り薬具を着脱可能に取付けるための取付部材２Ａを設けたアーム２が、竹材を含む複合材料で形成される場合の一実施形態を示すものである。孫の手は、従来竹材で製作されることが多く、好ましいとされているが、本考案の構成からして竹材で一体で製作することは困難である。
【００１９】
合成樹脂等で一体に成型して製作するのが量産的で安価にできるが、従来より使用されている竹材を使用する場合は、図９に示すような実施形態とする。すなわち、前記アーム１，２の後端部の支持ボス部を含む基体９，１０を木質材で製作して接合面９ａ，１０ａを接着剤等で接合して一体化する。アーム２の先端の取付部材２Ａは、合成樹脂等で製作して接着剤等で接合するといったような竹材を含む複合材料の実施形態とすることができる。
【００２０】
図１０は、本考案により身体１１の背中の部位を掻く時の使用例である。くの字状に開いて伸ばした状態で掻くから、手の握り部が斜め上前方で、背中の曲面に沿って矢印方向に動かして掻くことになり、手の疲れが少なく楽にできる。なお、本使用例では背中を掻く場合を図示してあるが、反対側の取付部材２Ａに塗り薬具を取付けて背中に塗る場合も同様に行われる。
【図面の簡単な説明】
【００２１】
【図１】本考案の実施例を示す斜視図である。
【図２】折畳んだ状態を示す平面図である。
【図３】アーム後端部の枢軸部を示す要部斜視図である。
【図４】軸ボルトで枢軸された枢軸部の要部断面図である。
【図５】先端に塗り薬具を取付ける取付部材を設けたアームの要部平面図である。
【図６】塗り薬具を取付けた実施形態を示す図面である。
【図７】異なる形態の塗り薬具を取付けた実施形態を示す図面である。
【図８】ねり薬塗布用の付属具の側面図である。
【図９】複合材料で形成する時の折畳んだ状態を示す平面図である。
【図１０】身体の背中の部位を掻く時の使用例を示す斜視図である。
【符号の説明】
【００２２】
１，２  アーム
１Ａ  掻き部
１ａ，２ａ  ストッパー部
１ｂ，２ｂ  支持ボス部
１ｃ，２ｃ  軸受穴
１ｄ，２ｄ  段差
１ｅ，２ｅ  組合せ面
２Ａ  取付部材
２Ｂ  螺子穴
２Ｃ，６Ｃ  凹面
２Ｄ  引掛け穴
２ｆ  座ぐり穴
３  軸ボルト
３ａ  頭部
４  平座金
４ａ  凹み穴
５  バネ部材
６  手回しナット（蝶ナット）
７  バンド
７ａ  引掛金具
８，８Ａ，８Ｂ  塗り薬具
８ａ  首部
８ｂ  塗布部
９，１０  基体
９ａ，１０ａ  接合面
１１  身体
【図１】
0003136237.tif 000003
【図２】
0003136237.tif 000004
【図３】
0003136237.tif 000005
【図４】
0003136237.tif 000006
【図５】
0003136237.tif 000007
【図６】
0003136237.tif 000008
【図７】
0003136237.tif 000009
【図８】
0003136237.tif 000010
【図９】
0003136237.tif 000011
【図１０】
0003136237.tif 000012